(57)【要約】【課題】精度良く空気中の浮遊塵埃を除去することができる電気掃除機を提供する。【解決手段】吸引風を発生させる電動送風機２と、前記電動送風機２と連通し、その吸引風により床面の塵埃を吸引する床面吸込み口１１を備えた吸込具８と、前記吸込具８に設けられると共に前記電動送風機２の吸引風により空気中の浮遊塵埃を吸引する空気取り入れ口１２とを備え、前記床面の種類に応じて前記空気取り入れ口１２の向きを変化させるもので、例えば、床面がフローリングやタイルなど滑らかで、部屋の上方、特に使用者の鼻口周辺の高さまで塵埃が舞い上がりやすいときは、空気取り入れ口１２の向きを上向きにして、床面が絨毯などで繊維性の塵埃が床面付近に多いときは、空気取り入れ口１２の向きを水平方向にすれば、広い範囲で、浮遊塵埃を吸引することができ、使用者はほこりの少ない空間で快適に掃除を行うことができる。【選択図】図１
2010022742.tif 000002
【特許請求の範囲】
【請求項１】
吸引風を発生させる電動送風機と、前記電動送風機と連通し、その吸引風により床面の塵埃を吸引する床面吸込み口を備えた吸込具と、前記吸込具に設けられると共に前記電動送風機の吸引風により空気中の浮遊塵埃を吸引する空気取り入れ口とを備え、前記床面の種類に応じて前記空気取り入れ口の向きを変化させる電気掃除機。
【請求項２】
空気取り入れ口の向きを、床面がフローリングやタイルなど滑らかな略平面のときは、そうでない床面の場合に比べより鉛直方向に近くして、より高い位置の浮遊塵埃を吸引するようにした請求項１に記載の電気掃除機。
【請求項３】
吸込具に、前記吸込具を動かしたときの床面に対する操作性の負荷を検出する負荷検出手段を備え、前記負荷検出手段の出力に応じて床面の種類を判別するようにした請求項１又は２に記載の電気掃除機。
【請求項４】
床面より吸引した塵埃の単位時間当たりの量の変化を判別するセンサーを備え、前記センサーの出力に応じて床面の種類を判別するようにした請求項１又は２に記載の電気掃除機。
【請求項５】
電動送風機の吸引力が強いほど、空気取り入れ口の向きをより鉛直方向にするようにした請求項１〜４のいずれか１項に記載の電気掃除機。
【発明の詳細な説明】
【技術分野】
【０００１】
本発明は電気掃除機に関するものであり、特に空気中の浮遊塵埃を吸引するための制御に関するものである。
【背景技術】
【０００２】
従来のこの種の電気掃除機として、吸込具上面に多数の微小孔を設け、空気中の浮遊塵埃も吸引できるようにしたものがある（例えば、特許文献１参照）。
【特許文献１】特許第２８１７００４号公報
【発明の開示】
【発明が解決しようとする課題】
【０００３】
しかしながら、上記特許文献１に記載された電気掃除機の構成によれば、吸込具上面の微小孔が常に同じ開口面積で、しかも同じ開口向きで開いたままになっているため、特定領域の浮遊塵埃の吸引には適しているが、床面の種類によって舞い上がる塵埃の種類が異なり、その舞い上がり方が変わることにより、浮遊塵埃が達する高さの変化には対応できていない、という課題があった。
【０００４】
本発明は、前記従来の課題を解決するもので、床面の種類から、掃除中に舞い上がる浮遊塵埃の舞い上がり高さを推定し、精度良く空気中の浮遊塵埃を除去することができる電気掃除機を提供するものである。
【課題を解決するための手段】
【０００５】
前記従来の課題を解決するために、本発明の電気掃除機は、吸引風を発生させる電動送風機と、前記電動送風機と連通し、その吸引風により床面の塵埃を吸引する床面吸込み口を備えた吸込具と、前記吸込具に設けられると共に前記電動送風機の吸引風により空気中の浮遊塵埃を吸引する空気取り入れ口とを備え、前記床面の種類に応じて前記空気取り入れ口の向きを変化させるもので、例えば、床面がフローリングやタイルなど滑らかで、部屋の上方、特に使用者の鼻口周辺の高さまで塵埃が舞い上がりやすいときは、空気取り入れ口の向きを上向きにして、床面が絨毯などで繊維性の塵埃が床面付近に多いときは、空気取り入れ口の向きを略水平方向にすれば、広い範囲で、浮遊塵埃を吸引することができ、使用者はほこりの少ない空間で快適に掃除を行うことができる。
【発明の効果】
【０００６】
本発明の電気掃除機は、掃除中に舞い上げられる花粉やハウスダストなどの浮遊塵埃を効率よく吸引でき、使用者がほこりが少ない空間で快適に掃除を行うことができる。
【発明を実施するための最良の形態】
【０００７】
第１の発明は、吸引風を発生させる電動送風機と、前記電動送風機と連通し、その吸引風により床面の塵埃を吸引する床面吸込み口を備えた吸込具と、前記吸込具に設けられると共に前記電動送風機の吸引風により空気中の浮遊塵埃を吸引する空気取り入れ口とを備え、前記床面の種類に応じて前記空気取り入れ口の向きを変化させるもので、例えば、床面がフローリングやタイルなど滑らかで、部屋の上方、特に使用者の鼻口周辺の高さまで塵埃が舞い上がりやすいときは、空気取り入れ口の向きを上向きにして、床面が絨毯などで繊維性の塵埃が床面付近に多いときは、空気取り入れ口の向きを略水平方向にすれば、広い範囲で、浮遊塵埃を吸引することができ、使用者はほこりの少ない空間で快適に掃除を行うことができる。
【０００８】
第２の発明は、特に、第１の発明の空気取り入れ口の向きを、床面がフローリングやタイルなど滑らかな略平面のときは、そうでない床面の場合に比べより鉛直方向に近くして、より高い位置の浮遊塵埃を吸引するようにしたもので、フローリングのようなほこりがより高く舞い上がりやすい略平面の床面を掃除する際に、浮遊塵埃が使用者の鼻口に達するのを防ぐことができる。
【０００９】
第３の発明は、特に、第１又は第２の発明の吸込具に、前記吸込具を動かしたときの床面に対する操作性の負荷を検出する負荷検出手段を備え、前記負荷検出手段の出力に応じて床面の種類を判別するようにしたもので、実際に掃除している床面の種類を直接しかも確実に検出して、床面の種類を精度良く判別することができる。
【００１０】
第４の発明は、特に、第１又は第２の発明の床面より吸引した塵埃の単位時間当たりの量の変化を判別するセンサーを備え、前記センサーの出力に応じて床面の種類を判別するようにしたもので、床面の種類を非接触で判別でき、長期の使用でも精度が劣化せずに床面の種類を判別することができる。
【００１１】
第５の発明は、特に、第１〜４のいずれか一つの発明の電動送風機の吸引力が強いほど、空気取り入れ口の向きをより鉛直方向にするようにしたもので、電動送風機の吸引力が強くなると、当然掃除機本体から排気される排気風の風速が強くなるので塵埃の舞い上がり高さも高くなるので、これを考慮することで、より精度良く掃除中に舞い上げられた浮遊塵埃を吸引することができる。
【００１２】
以下、本発明の実施の形態について、図面を参照しながら説明する。なお、この実施の形態によって本発明が限定されるものではない。
【００１３】
（実施の形態１）
本発明の第１の実施の形態における電気掃除機について図１〜４を用いて説明する。
【００１４】
図１（ａ）は、本実施の形態における電気掃除機の全体図、図１（ｂ）、（ｃ）、（ｄ）は、図１（ａ）の吸込具８の拡大断面図である。
【００１５】
図１において、１は、掃除機本体であり、２は、掃除機本体１に内蔵された電動送風機であり、３は、電動送風機２の吸引風によって吸引された塵埃を捕集する紙パックである。電動送風機２の吸引風は、ホース４と延長管７を通じて床面吸込み口１１を備えた吸込具８へ伝わり、この吸引風によって、床面吸込み口１１から床面の塵埃を吸引する。１０は、図示しない電動機や吸い込み気流などで回転駆動される回転ブラシで、床面吸込み口１１近傍に配されており、それが回転することにより、床面の塵埃がかき出され、床面吸込み口１１からの塵埃の吸引を補助する。
【００１６】
また、吸込具８は、端部に空気取り入れ口１２を有すると共に、略水平から略鉛直方向まで回動する電動ルーバー９を備えており、電動ルーバー９は、開口向き設定手段（図示せず）が設定した角度に応じて、図１（ｂ）のような水平方向から、図１（ｃ）、図１（ｄ）の様に鉛直方向へ動作し、より高い位置の浮遊塵埃を吸引するよう空気取り入れ口１２の開口向きを変化させるようになっている。
【００１７】
ホース４には、吸引した塵埃を検知し、床面の種類を判別するためのセンサー５と、使用者が持つための手元ハンドル６を備えている。
【００１８】
図２は、手元ハンドル６の上面の拡大図であり、掃除機を運転する際に操作する強スイッチ６１、中スイッチ６２、弱スイッチ６３、掃除機を停止させる停止スイッチ６４が備えられている。
【００１９】
次に、上記のように構成された、本実施の形態における電気掃除機の動作、作用について、図１〜４を参照しながら説明する。
【００２０】
使用者が掃除をする際には、強スイッチ６１、中スイッチ６２、弱スイッチ６３のいずれかを操作する。制御手段（図示せず）は、強スイッチ６１を操作したときは、電動送風機２への入力を９００Ｗに、中スイッチ６２を操作したときは電動送風機２への入力を６００Ｗに、弱スイッチ６３を操作したときは電動送風機２への入力を２００Ｗにそれぞれ切り換えて、使用者が吸引力の強さを選択できるようになっている（以降、それぞれの動作モードを強モード、中モード、弱モードとする）。
【００２１】
停止スイッチ６４を操作すると、電動送風機２への入力を遮断し、運転を停止する（以降、停止モードとする）。強、中、弱いずれかのモードで運転している場合は、回転ブラシ１０を駆動する電動機および電動ルーバー９に電力が供給され、回転ブラシ１０は、床面の塵埃をかき出し、電動ルーバー９は、空気中の浮遊塵埃を吸引するために図１（ｂ）、（ｃ）、（ｄ）のように空気取り入れ口１２の開口向きを変化させる。
【００２２】
床面判別手段（図示せず）は、図３に示すセンサー５の出力に対応した判別テーブルで床面を判別する。単位時間、本実施の形態では０．５秒毎の塵埃の検出数の４回計測が、例えば、４回全て１０以上なら、床面は、毛足が長いじゅうたん、５以上なら毛足が短いじゅうたん、それ以外ならフローリングとそれぞれ判別する。例えば、０．５秒間の塵埃の検出数が１０、２０、１２、１５なら毛足が長いじゅうたんと判別するが、１０、２０、１２、３ならフローリングと判別する。これは、じゅうたんを掃除している時はその遊び毛が常に吸引されるため、塵埃の検出数は常に一定以上であることを利用したものである。
【００２３】
電動ルーバー９の水平位置からの回動角度は、図４で示す床面判別手段が判別する床面の種類と動作モードに応じてあらかじめ定められた回動角度を有する角度設定テーブルから決定される。一般的にフローリングのような略平面の床面では、人の移動によって花粉やハウスダストなどを含む比較的軽いほこりが高く舞い上がりやすいが、逆にじゅうたんでは自身の繊維によりほこりを保持するため、比較的重い繊維質のほこりは発生するが、軽いほこりは舞いにくいと言われている。
【００２４】
角度設定テーブルはその性質を考慮して床面の種類に対応する電動ルーバー９の回動角度を設定しており、フローリングやタイルなどでは、空気取り入れ口１２の向きをより鉛直方向へ向けて、より高く舞い上がった塵埃を吸引して、部屋の上方、特に使用者の鼻口まで塵埃が舞い上がるのを防ぐようにし、逆にじゅうたんなどでは、電動ルーバー９を略水平方向にし、低い所で浮遊している主に繊維状のほこりを吸引する。また、この角度設定テーブルでは、排気風速による塵埃の舞い上がりも考慮しており、吸引力が高いほど掃除機本体１からの排気風量・風速が増加し、より塵埃が舞い上がりやすくなるため、吸引力が強いモードほどより角度を鉛直方向に向けることで、塵埃の舞い上がりに関わる排気の風速も考慮した、より精度の良い空気取り入れ口１２の開口向きの設定ができる。
【００２５】
以上のような制御を行うことで、掃除中に舞い上げられる花粉やハウスダストなどの浮遊塵埃を効率よく吸引でき、使用者がほこりが少ない空間で快適に掃除を行うことができる。
【００２６】
なお、本実施の形態ではセンサー５を用いて床面の種類を判別していたが、吸込具８を動かしたときの負荷がじゅうたんとフローリングなどでは異なるため、これを利用して床面の種類を判別することも可能である。例えば、本実施の形態で用いている回転ブラシ１０を電動機で駆動する場合、じゅうたんなどでは回転ブラシ１０に加わる負荷が高くなり、電動機の負荷電流が増加するため、この負荷電流を検知する負荷検出手段（図示せず）を設け、この負荷検出手段で検出された負荷電流の差を利用して床面の種類を判別することも可能であり、この場合は直接床面に触れるため、精度が良く、かつ別途センサーを設ける必要が無く、安価に床面を判別することが可能である。
【産業上の利用可能性】
【００２７】
以上のように本発明に係る電気掃除機は、床面の種類から、掃除中に舞い上がる浮遊塵埃の舞い上がり高さを推定し、精度良く空気中の浮遊塵埃を除去することができるもので、家庭用、業務用の各種電気掃除機に応用できる。
【図面の簡単な説明】
【００２８】
【図１】（ａ）本発明の第１の実施の形態における電気掃除機の概略図、（ｂ）〜（ｄ）同電気掃除機の吸込具の拡大断面図
【図２】同電気掃除機の手元ハンドルの上面の拡大図
【図３】同電気掃除機の床面判別手段の床面判別説明図
【図４】同電気掃除機の電動ルーバーの角度設定説明図
【符号の説明】
【００２９】
１    掃除機本体
２    電動送風機
３    紙パック
４    ホース
５    センサー
６    手元ハンドル
７    延長管
８    吸込具
９    電動ルーバー
１０  回転ブラシ
１１  床面吸込み口
１２  空気取り入れ口
６１  強スイッチ
６２  中スイッチ
６３  弱スイッチ
６４  停止スイッチ
【図１】
2010022742.tif 000003
【図２】
2010022742.tif 000004
【図３】
2010022742.tif 000005
【図４】
2010022742.tif 000006